(57)【要約】【課題】本発明の目的は、フールプルーフ機能を備えるランプホルダーを提供することである。【解決手段】本発明に係るランプホルダーは、複数のコネクタを有するランプを固定するために用いられ、対向する第一表面及び第二表面と、前記第一表面と前記第二表面との間に位置し且つ対向する第一側面及び第二側面と、を有するホルダー本体を備え、前記第一側面には、第二側面へ向かって延伸し且つ第一表面及び第二表面を貫通する第一スロットと第二スロットとが互いに離間して設けられ、前記第一スロットと第二スロットとは、ランプのコネクタを収容するために用いられ、前記第一スロットは第一底面を有し、前記第一底面には、フールプルーフ構造が設置される。【選択図】図１
2012043791.tif 000002
【特許請求の範囲】
【請求項１】
複数のコネクタを有するランプを固定するために用いられるランプホルダーであって、
対向する第一表面及び第二表面と、前記第一表面と前記第二表面との間に位置し且つ対向する第一側面及び第二側面と、を有するホルダー本体を備え、前記第一側面には、前記第二側面へ向かって延伸し且つ前記第一表面及び前記第二表面を貫通する第一スロットと第二スロットとが互いに離間して設けられ、前記第一スロットと前記第二スロットとは、前記ランプの前記コネクタを収容するために用いられ、前記第一スロットは第一底面を有し、前記第一底面には、フールプルーフ構造が設置されることを特徴とするランプホルダー。
【請求項２】
前記フールプルーフ構造は、貫通孔であり、前記ホルダー本体の前記第二表面には、前記第一表面へ向かって延伸し且つ前記ホルダー本体の両側端部を貫通するガイドスロットが設けられていることを特徴とする請求項１に記載のランプホルダー。
【請求項３】
前記ランプホルダーは、互いに協働する２つの可動ユニットを含む可動部をさらに備え、前記可動部は、前記ホルダー本体と互いに協働して前記ランプを固定することを特徴とする請求項１または２に記載のランプホルダー。
【請求項４】
各々の前記可動ユニットは、支持アームと、前記支持アームの２つの端部に連設する押圧部及びフック部と、を備えることを特徴とする請求項３に記載のランプホルダー。
【請求項５】
前記ホルダー本体の前記第一スロットと前記第二スロットとの間には、突出部が形成され、前記第二表面の前記突出部に対応する箇所には、前記ガイドスロットに連通する収容スロットが設けられ、前記突出部の前記第一スロットに対面する側面と前記第二スロットに対面する側面とには、前記第一スロット及び前記第二スロットに連通する開口がそれぞれに設けられ、２つの前記可動ユニットの間にバネが設置され、２つの前記可動ユニットの前記支持アームは、前記ガイドスロット及び前記収容スロットに収容され、２つの前記可動ユニットの前記押圧部は、前記ガイドスロットの２つの端部から突出し、前記押圧部を押圧または放すと、前記フック部は前記収容スロットに収容される又は前記開口から突出することを特徴とする請求項４に記載のランプホルダー。
【請求項６】
前記ランプホルダーは、カバーをさらに備え、前記カバーは、前記ホルダー本体と協働して前記可動部を収容することを特徴とする請求項１から５のいずれか一項に記載のランプホルダー。
【発明の詳細な説明】
【技術分野】
【０００１】
本発明は、発光ダイオードランプに関し、特にフールプルーフ機能を備える発光ダイオードランプホルダーに関するものである。
【背景技術】
【０００２】
フールプルーフ（Ｆｏｏｌ−ｐｒｏｏｆｉｎｇ）は、操作者が誤った操作をしないように、設計の段階で安全対策を施しておくことであり、操作者が注意して操作することを必要とせず、経験及び専門知識がなくても、正しい操作を行うことができる。
【０００３】
従来の発光ダイオードランプホルダーには、ランプの電気コネクタを収容するために用いられるスロットが設置される。しかし、ランプをランプホルダーに取り付ける時に、ランプを間違ったスロットに取り付けることがあり、電気回路に接続されないことを招く。ゆえに、フールプルーフ機能を備えるランプホルダーを提供する必要がある。
【発明の概要】
【発明が解決しようとする課題】
【０００４】
前記課題を解決するために、本発明の目的は、フールプルーフ機能を備えるランプホルダーを提供することである。
【課題を解決するための手段】
【０００５】
本発明に係るランプホルダーは、複数のコネクタを有するランプを固定するために用いられ、対向する第一表面及び第二表面と、前記第一表面と前記第二表面との間に位置し且つ対向する第一側面及び第二側面と、を有するホルダー本体を備え、前記第一側面には、第二側面へ向かって延伸し且つ第一表面及び第二表面を貫通する第一スロットと第二スロットとが互いに離間して設けられ、前記第一スロットと第二スロットとは、ランプのコネクタを収容するために用いられ、前記第一スロットは第一底面を有し、前記第一底面には、フールプルーフ構造が設置される。
【発明の効果】
【０００６】
従来の技術と比べると、本発明に係るランプホルダーには、ランプのコネクタを収容する第一スロット及び第二スロットが形成され、そのうちの１つのスロットの底面には、フールプルーフ構造が設置されるので、ランプを固定する時に、ランプをランプホルダーに固定しやすい。前記ランプホルダーの構造は、簡素であり、便利に使用できる。
【図面の簡単な説明】
【０００７】
【図１】本発明の実施例に係るランプホルダーの分解図である。
【図２】図１に示したランプホルダーの別の視角から見た分解図である。
【図３】図１に示したランプホルダーのホルダー本体の構造を示す図である。
【図４】図１に示したランプホルダーのホルダー本体及びカバーの組立図である。
【図５】図１に示したランプホルダーに結合するランプの構造を示す図である。
【図６】組立後のランプホルダーと図５に示したランプとを示す斜視図である。
【発明を実施するための形態】
【０００８】
以下、図面を参照して、本発明の実施例について説明する。
【０００９】
図１、図２及び図３を参照すると、本発明の実施例に係るランプホルダー１００は、ホルダー本体２０と、可動部３０と、カバー４０と、を備える。
【００１０】
前記ホルダー本体２０は、第一表面２１と、前記第一表面２１と対向する第二表面２２と、前記第一表面２１と前記第二表面２２との間に位置する第一側面２３及び第二側面２４と、を備える。
【００１１】
前記ホルダー本体２０の第一側面２３には、第二側面２４に向かって延伸し且つ第一表面２１及び第二表面２２を貫通する第一スロット２５及び第二スロット２６が互いに離間して設置される。前記第一スロット２５と前記第二スロット２６との間には、突出部２７が形成されている。本実施例において、前記第一スロット２５及び前記第二スロット２６は、長方形を呈し、深さが同じである。前記突出部２７は、前記第二表面２２から前記第一表面２１に向かって窪んでいるので、前記第二表面２２のうち前記突出部２７に対応する箇所には、収容スロット２７０が形成される。前記ホルダー本体２０の第二表面２２のうち前記第二側面２４に近い箇所には、前記第二表面２２から前記第一表面２１に向かって延伸し且つ前記ホルダー本体２０の両側端部を貫通するガイドスロット２８が設けられている。前記収容スロット２７０と前記ガイドスロット２８とは、互いに連通する。本実施例において、前記ガイドスロット２８は、前記第一スロット２５及び前記第二スロット２６に連通しない。
【００１２】
前記第一スロット２５及び前記第二スロット２６は、第一底面２５１及び第二底面２６１をそれぞれ備え、前記第一スロット２５の第一底面２５１には、フールプルーフ構造２５３が形成されている。本実施例において、前記フールプルーフ構造２５３は、前記第一底面２５１と前記ガイドスロット２８とを連通する貫通孔である。
【００１３】
本実施例において、前記ホルダー本体２０の第一表面２１には、前記ガイドスロット２８に連通する２つのネジ孔２９が設けられている。
【００１４】
前記ホルダー本体２０の突出部２７は、前記第一スロット２５に対面する第三側面２７１及び前記第二スロット２６に対面する第四側面２７２を備える。前記第三側面２７１と前記第四側面２７２とには、前記収容スロット２７０に連通する開口２７４がそれぞれに設けられている。
【００１５】
前記可動部３０は、構造が同じである２つの可動ユニット３１を備える。各々の前記可動ユニット３１は、支持アーム３２と前記支持アーム３２の２つの端部に連設される押圧部３３及びフック部３４とを備える。本実施例において、前記支持アーム３２は、「Ｌ」字状を呈し、前記押圧部３３は、長方形を呈し、前記フック部３４は、フック状を呈する。前記フック部３４のフックは、前記押圧部３３側に向けて突出しており、部品と係合するために用いられる。前記支持アーム３２の側面には、スロット３２６が設けられている。
【００１６】
前記カバー４０は、前記ホルダー本体２０と協働して前記可動部３０を収容する収容空間を形成する。前記カバー４０の内表面には、内部ねじ山を有する２つのネジ柱４１が設けられる。
【００１７】
図４を参照すると、ランプホルダー１００の組立過程において、前記可動部３０の２つの可動ユニット３１の支持アーム３２は、前記ガイドスロット２８及び前記収容スロット２７０に収容され、２つの前記可動ユニット３１の押圧部３３は、前記ガイドスロット２８の２つの端部から突出し、２つの前記可動ユニット３１のフック部３４は、前記突出部２７の２つの開口２７４を貫通して前記第一スロット２５及び前記第二スロット２６内に突出する。２つの前記可動ユニット３１の間には、バネ３６が設置される。前記カバー４０は、前記ホルダー本体２０を被覆し、前記カバー４０の２つのネジ柱４１は、２つの前記可動ユニット３１のスロット３２６を貫通して前記ホルダー本体２０のネジ孔２９に延伸し、２つのネジ５０が前記ネジ孔２９を貫通して前記カバー４０のネジ柱４１にそれぞれ螺合することによって、前記ホルダー本体２０、前記可動部３０及び前記カバー４０を固定し、前記可動部３０は、前記ホルダー本体２０及び前記カバー４０に対してスライドすることができる。
【００１８】
図５を参照すると、前記ランプホルダー１００は、ランプ６００を固定するために用いられる。前記ランプ６００は、ランプ本体６０と、第一コネクタ８１と、第二コネクタ８２と、第三コネクタ８３と、第四コネクタ８４と、を備える。
【００１９】
前記ランプ本体６０は、円柱状を呈し、ハウジング６１と、前記ハウジング６１の内部に設置されている基板６２と、前記基板６２に設置されている複数の発光ダイオード６３と、を備える。前記基板６２は、対向する第一基板表面６２１及び第二基板表面６２２を備える。複数の前記発光ダイオード６３は、前記基板６２の第二基板表面６２２に設置される。前記ハウジング６１は、対向する第一端部６１２及び第二端部６１４を備える。本実施例において、前記ハウジング６１は、透光性材料からなる。
【００２０】
前記第一コネクタ８１と前記第二コネクタ８２とは、極性が反対であり、前記ハウジング６１の第一端部６１２に設置されている。前記第三コネクタ８３と前記第四コネクタ８４とは、極性が反対であり、前記ハウジング６１の第二端部６１４に設置されている。前記第一コネクタ８１と前記第三コネクタ８３とは、前記ハウジング６１の両端に設置され且つ極性が同じである。前記第二コネクタ８２と前記第四コネクタ８４とは、前記ハウジング６１の両端に設置され且つ極性が同じである。本実施例において、前記第一コネクタ８１と前記第四コネクタ８４とは、互いに電気接続し且つ外部の電源に接続して、第一回路を形成し、前記第二コネクタ８２と前記第三コネクタ８３とは、互いに電気接続し且つ外部の電源に接続して、第二回路を形成する。
【００２１】
前記第一コネクタ８１は、第一上表面８１１を備え、前記第三コネクタ８３は、第二上表面８３１を備える。前記第一上表面８１１と前記第二上表面８３１とは、前記基板６２の第二基板表面６２２と同じ側に位置する。前記第一コネクタ８１と前記第三コネクタ８３とには、それぞれフールプルーフ構造が設置される。本実施例において、前記フールプルーフ構造は、矩形を呈する第一突起９１及び第二突起９２である。前記第一突起９１は、前記第一コネクタ８１の第一上表面８１１に設置され、前記第二突起９２は、前記第三コネクタ８３の第二上表面８３１に設置される。前記第一突起９１及び前記第二突起９２は、前記ランプホルダー１００のフールプルーフ構造２５３に係合するために用いられる。
【００２２】
図６を参照すると、前記ランプホルダー１００は、前記ランプ６００を固定するために用いられる。前記ランプ６００及び前記ランプホルダー１００にフールプルーフ構造が設置されているので、前記ランプ６００のフールプルーフ構造を前記ランプホルダー１００のフールプルーフ構造２５３に係合させることによって前記ランプ６００を前記ランプホルダー１００に固定することができる。本実施例において、前記ランプ６００の第三コネクタ８３及び前記第四コネクタ８４を前記ランプホルダー１００の第一スロット２５及び前記第二スロット２６にそれぞれ対応させてから、前記押圧部３３を押圧して、前記可動部３０の２つの可動ユニット３１のフック部３４を前記突出部２７の２つの開口２７４から前記収容スロット２７０内に後退させ、前記第三コネクタ８３及び前記第四コネクタ８４を前記ランプホルダー１００の第一スロット２５及び前記第二スロット２６にそれぞれ収容する。具体的には、前記第三コネクタ８３の第二突起９２が前記ランプホルダー１００のフールプルーフ構造２５３に収容される。続いて、前記押圧部３３を放すと、バネ３６の弾性復帰力によって前記可動部３０の２つの可動ユニット３１のフック部３４は、前記突出部２７の２つの開口２７４から前記第一スロット２５及び前記第二スロット２６にそれぞれ突出して、前記ランプ６００を前記ランプホルダー１００に固定する。
【００２３】
本発明に係るランプホルダー１００には、フールプルーフ構造２５３が形成され、且つ、前記ランプ６００にも、フールプルーフ構造が設置されるので、フールプルーフ構造が互いに係合することによって前記ランプ６００を前記ランプホルダー１００に固定しやすい。ランプホルダー１００の構造は、簡素であり、便利に使用できる。
【符号の説明】
【００２４】
１００  ランプホルダー
２０  ホルダー本体
２１  第一表面
２２  第二表面
２３  第一側面
２４  第二側面
２５  第一スロット
２５１  第一底面
２５３  フールプルーフ構造
２６  第二スロット
２６１  第二底面
２７  突出部
２７０  収容スロット
２７１  第三側面
２７２  第四側面
２７４  開口
２８  ガイドスロット
２９  ネジ孔
３０  可動部
３１  可動ユニット
３２  支持アーム
３２６  スロット
３３  押圧部
３４  フック部
３６  バネ
４０  カバー
４１  ネジ柱
５０  ネジ
６００  ランプ
６０  ランプ本体
６１  ハウジング
６１２  第一端部
６１４  第二端部
６２  基板
６２１  第一基板表面
６２２  第二基板表面
６３  発光ダイオード
８１  第一コネクタ
８１１  第一上表面
８２  第二コネクタ
８３  第三コネクタ
８３１  第二上表面
８４  第四コネクタ
９１  第一突起
９２  第二突起
【図１】
2012043791.tif 000003
【図２】
2012043791.tif 000004
【図３】
2012043791.tif 000005
【図４】
2012043791.tif 000006
【図５】
2012043791.tif 000007
【図６】
2012043791.tif 000008